(57)【特許請求の範囲】
【請求項１】
交流電源と、前記交流電源に接続され、交流電圧を直流電圧に変換する第１の整流器と、前記第１の整流器に接続され、前記直流電圧を平滑化する第１のコンデンサと、前記第１のコンデンサに接続され、前記平滑化された直流電圧を高周波の交流電圧に変換する第１のインバータと、前記第１のインバータに一次巻線が接続され前記高周波の交流電圧を昇圧する高電圧変圧器と、該高電圧変圧器の二次巻線に接続され、前記高電圧変圧器によって昇圧された交流電圧を直流高電圧に変換する高電圧整流器と、該高電圧整流器に接続され変換された直流高電圧を平滑する第２のコンデンサと、該第２のコンデンサに接続されたＸ線管とからなるＸ線高電圧装置であって、前記Ｘ線管からのＸ線の放射を停止する期間に前記第２のコンデンサに蓄積された電荷のエネルギを前記第１のコンデンサ若しくは他の電気エネルギ蓄積要素に回生する手段を設けたＸ線高電圧装置において、前記回生する手段は、前記第２のコンデンサの直流電圧を交流電圧に変換する第２のインバータ回路と、該第２のインバータ回路で変換された交流電圧を降圧する第２の変圧器と、該第２の変圧器の出力電圧を整流する第２の整流器とを備え、前記第１のコンデンサあるいは前記他の電気エネルギ蓄積要素は前記第２の整流器から出力される電圧を蓄積し、前記第１のコンデンサ若しくは前記他の電気エネルギ蓄積要素と前記第２の整流器との間に前記第２のコンデンサの放流電流を制限するリアクトルとを備えたことを特徴とするＸ線高電圧装置。
【発明の詳細な説明】
【０００１】
【発明の属する技術分野】
本発明は、医療用または工業用のＸ線発生用電源装置に係わり、Ｘ線管からのＸ線の放射を停止する期間にこのＸ線管のアノ−ドとカソ−ド間の電圧（以下、管電圧と記す）を高速に下降させることにより、前記Ｘ線管のアノ−ドとカソ−ド間に流れる電流（以下、管電流と記す）の大小に係わらず常に設定撮影時間と実際の撮影時間との誤差を小さくするとともに、軟Ｘ線の発生を防止することのできるＸ線高電圧装置に関するものである。
【０００２】
【従来の技術】
従来から、Ｘ線高電圧装置の管電圧を高速に制御する装置が開発されてきた。これらＸ線高電圧装置では、通常、高電圧変圧器の交流高電圧出力を高電圧整流器で整流し、これを高電圧側に付加したコンデンサや高電圧ケーブルの有している浮遊容量などのコンデンサで平滑して直流高電圧をＸ線管に供給している。
【０００３】
この場合、高電圧整流器が在るために、前記コンデンサに蓄えられた電荷の放電はＸ線管を経由するルートしかないために、管電圧を高速で立ち上げることは比較的容易であるが、管電圧を高速に降下させることが困難であるという技術的な課題がある。このため、血管内の血流を動画としてシネフィルムに撮影するシネ撮影や、血管でカテーテルを操作するとき高画質なリアルタイム画像を得るためのパルス透視など、高速なパルス状管電圧が要求されるＸ線高電圧装置では、管電圧の下降時の波形（以下、波尾と呼ぶ）が問題になる。すなわち、この波尾はＸ線フィルムやＸ線テレビ上に形成されるＸ線画像にはほとんど効果がなく、そのうえ、被験者に対する有害な被曝になりやすい低エネルギーＸ線がＸ線管から多量に放射されることになる。これは、特に、インターベンショナルラジオロジーに代表される高画質透視下での医療行為に対して、無効被曝という現象によってこの有効性を阻害するほどのものである。
【０００４】
ここで、前記コンデンサに蓄積された電荷を放電するために、どの程度の時間が必要であるか、また、それが本来のパルス状高電圧出力に対してどの程度の電力損失（発熱）になるかを試算してみる。たとえば、Ｘ線管を抵抗負荷ＲＬ，コンデンサの静電容量をＣｆとみなすと、コンデンサの放電の時定数は、ＲＬ×Ｃｆとなる。パルス透視を想定して、仮に、管電圧を１００ｋＶ，管電流を１０ｍＡ，静電容量Ｃｆを５０００ｐＦと仮定すると、管電圧の波尾の時定数は次式で表せる。
【数１】
0004349642.tif 000002
【０００５】
通常、パルス透視のパルスレートは１５〜６０ｐｕｌｓｅ／ｓで、その周期は６６．７ｍｓ〜１６．７ｍｓ程度、管電圧パルスの幅は、３〜数ｍｓである。従って、波尾の時定数が５０ｍｓの場合には、管電圧はゼロまで降下することはなく、実際に必要なパルス幅の数倍にもなる波尾が存在することになる。
【０００６】
図５は、このような条件における従来の管電圧波形を示したもので、この図から、波尾がゼロに到達する前に、次のパルス状管電圧が上昇しはじめ、低管電圧のＸ線が多量に放出され、またＸ線管に常に管電圧が供給され続けて発熱することが分かる。
【０００７】
更に、この管電圧の波尾の期間は、Ｘ線管で前記コンデンサに蓄えられた電力を消費することになるので、それだけＸ線管の内部温度を上昇させ、その寿命を早めたり、パルスＸ線出力後の許容Ｘ線条件を制約するなどの問題が生じる。
このような課題を解決する一つの方法として、特開平８−２１２９４８にＸ線管のアノード・カソード間に電流制限用インピーダンスと高電圧スイッチとの直列体を設け、高電圧側のコンデンサに蓄積された電荷を高速で放電できる方式が開示されている。
【０００８】
また、電流制限用インピーダンスを設けないで、テトロード（四極真空管）を用いてアノード・カソード間を短絡させ、テトロードで電流を制限する方法もある。
【０００９】
【発明が解決しようとする課題】
上記の方法は、いずれもコンデンサに蓄積された電荷のエネルギをインピーダンスやテトロードで消費させるという方法である。
このときの消費電力は、パルスレートを６０ｐｕｌｓｅ／ｓとして
【数２】
0004349642.tif 000003
と算定できる。
【００１０】
従って、パルス透視をしている間、上記電流制限用インピーダンスやテトロードでは常に１．５ｋＷもの電力を損失し発熱していることになる。そのため、この電流制限用インピーダンスやテトロードを冷却しなければならず、Ｘ線高電圧装置の高電圧部の小型化が困難なものであった。更に、テトロードは消耗品であるばかりでなく、高価であるという別の問題点をもっている。
【００１１】
本発明装置は、以上で説明した従来の技術における課題を解消して、管電圧の波尾を高速に降下させるとともに、コンデンサに蓄積されたエネルギーによる高電圧部での発熱を防止することを目的とする。
【００１２】
【課題を解決するための手段】
上記目的は、交流電圧源と、この交流電圧源に一次巻線が接続されその電圧を昇圧する高電圧変圧器と、この高電圧変圧器の二次巻線に接続され昇圧された交流電圧を直流高電圧に変換する高電圧整流器と、この高電圧整流器に接続されこの直流高電圧を平滑するコンデンサと、このコンデンサに接続されたＸ線管とからなるＸ線高電圧装置において、前記Ｘ線管からのＸ線の放射を停止する期間に前記コンデンサに蓄積された電荷のエネルギを前記交流電圧源若しくは他の電気エネルギ蓄積要素に回生する手段を設けることによって達成される。このように構成することによって、Ｘ線曝射停止時に前記コンデンサに蓄積された電荷のエネルギを交流電圧源若しくは他の電気エネルギ蓄積要素に回生されるので、従来の電流制限用インピーダンスやテトロード及びこれらの冷却装置が不要となってＸ線高電圧装置の高電圧部の小型化が可能となると共に、この時の電力が有効に利用できるという利点が生じる。
【００１３】
また、前記回生する手段は、前記Ｘ線管のアノードとカソード間に接続された第二の変圧器の一次巻線とスイッチとからなる直列接続体と、この第二の変圧器の二次側に接続された整流器とを設け、この整流器の出力端子を前記コンデンサに蓄積された電荷のエネルギを回生するための端子に接続するものである。
【００１４】
また、上記回生する手段の別の態様は、前記コンデンサの直流電圧を交流電圧に変換するインバータ回路と、このインバータ回路で変換された交流電圧を降圧する変圧器と、この変圧器の出力電圧を整流する整流回路と、この整流回路から出力される電圧を蓄積する電気エネルギ蓄積要素と、この電気エネルギ蓄積要素と前記整流回路との間に前記コンデンサの放電電流を制限するリアクトルとで構成されたものである。
このように構成することによって、比較的簡単な構成で回生手段を実現できる。
【００１５】
【発明の実施の形態】
図１は、本発明の第一の実施例としてインバータ式Ｘ線高電圧装置に本発明を適用した例を示す図である。１０は交流電源，１１は交流電源１０に接続されこの交流電圧を直流に変換する整流器，１２は整流器１１に接続されこの直流電圧を平滑化する第一のコンデンサ，１３は第一のコンデンサ１２に接続され平滑化された直流電圧を高周波の交流電圧に変換するインバータ，１４はインバータ１３に接続されこの高周波の交流電圧を昇圧する高電圧変圧器，１５は高電圧変圧器の二次側に接続され昇圧された交流電圧を整流する高電圧整流器，１６は高電圧整流器１５に接続されその出力電圧を平滑化する第二のコンデンサで、これは高電圧整流器１５と以下で述べるＸ線管とを接続する高電圧ケーブルの浮遊容量と、必要に応じて追加された平滑用高電圧コンデンサで構成されている。１７は第二のコンデンサ１６に接続されたＸ線管である。また、Ｘ線管１７のアノードとカソード間には、第二の変圧器２０と半導体スイッチ２１との直列接続体がＸ線管１７と並列に接続され、さらにこの第二の変圧器２０の二次巻線は整流器２２に接続され、整流器２２の出力は回生用端子２５，２６を介して第一のコンデンサ１２に接続されている。
【００１６】
ここで半導体スイッチ２１は高電圧側に接続されているため、その構造と駆動方法には特別の配慮が必要ではあるが、その形態としては、前記特開平８−２１２９４８に開示されているので，ここでは説明を省略する。
また、高電圧変圧器１４の巻き数比は、商用の交流電源１０から医療用などに必要な１５０ｋＶ程度までの管電圧を得るためにおよそ１：４００〜９００程度になるが、第二の変圧器は例えば１００：１程度の降圧ができるような巻き数比を選んでおく。
【００１７】
次に、こうして構成された第一の実施例についてその動作を説明する。図３は第一の実施例に対する半導体スイッチ２１のオン，オフのタイミングとそのときの管電圧波形とを示している。インバータ１３を動作させて高周波の交流を高電圧変圧器１４に供給し、この出力電圧を高電圧整流器１５で整流し、さらに、第二のコンデンサ１６が平滑すると立ち上がりが高速（例えば１ｍｓ程度）の管電圧がＸ線管に印加される。その後、管電圧を急激に下降させようとしても、第二のコンデンサ１６に充電された電荷は高電圧整流器１５に阻止されてしまい、従来はＸ線管を通じて放電されるしかなかった。
【００１８】
これに対して本実施例では、半導体スイッチ２１をオンすることによって第二の変圧器２０の一次側（右側，高電圧側）に管電圧を印加し、これを例えば前記巻き数比に応じて１／１００倍に降圧して整流器２２に供給する。整流器２２は第二の変圧器の二次巻線（左側，低電圧側）の電圧が第一のコンデンサ１２の電圧より高い間は導通して図１の右側から左側へ電流が流れる。このとき、図３に示したように第二のコンデンサ１６に蓄積された電荷のエネルギーの大半は第二の変圧器２０を介してインバータ１３の入力側の第一のコンデンサ１２に回生されることになる。その結果、図３に示すように管電圧がスイッチ２１のターンオンと同時に急激に降下し、波尾を大幅に低減できる。
【００１９】
さらに、高電圧側のエネルギーの大半を低圧側に回生できるため発熱の心配がないという大きな利点がある。
【００２０】
図２は、本発明の第二の実施例を示す図である。第二の実施例では、第一の実施例で第二の変圧器の一次巻線と半導体スイッチ２１の直列体にさらにリアクトル２３を直列に接続している。また、この直列体と逆並列に第二の高電圧ダイオード２４を接続している。それ以外は、図１の第一の実施例と同様である。
【００２１】
図４は、第二の実施例における動作を示している。図１における第一の実施例では、第二のコンデンサ１６の両端の電圧が第二の変圧器２０で降圧されたあと、第一のコンデンサ１２（回生用端子２５，２６）の電圧より高い間だけ高電圧側に蓄積された電力の回生が行われた。そのため、半導体スイッチ２１がオンしても管電圧の波尾が効果的に低減できるのはこのような電圧の条件が整っている間だけとなり、管電圧をほぼゼロまで急激に降下させることは困難である。これに対して、第二の実施例では、半導体スイッチ２１がターンオンして、一度流れ始めた第二のコンデンサ１６の放電電流をリアクトル２３に電流のエネルギーとして蓄え、平滑容量１６の両端の電圧がほとんどゼロあるいは、図４に示したようにわずかにマイナスになるまで放電を持続させることが可能である。第二のコンデンサ１６の両端の電圧がマイナスになろうとすると高電圧ダイオード２４がオンしてこの電圧をほぼゼロに固定するため、Ｘ線管に負の電圧がかかるようなことはなく、波尾をほぼゼロ電圧まで急激に低下させることができる。
【００２２】
ここで、述べた第二の高電圧ダイオード２４はＸ線管に逆方向電圧がかからないようにするためのもので、実際には改めて設けることなく、高圧整流器１５で代用することも可能である。
また、ここで設けたリアクトル２３は、改めて部品として用意するのではなく、第二の変圧器の漏れインダクタンスを有効に利用することもできる。
【００２３】
図５は、本発明の第３の実施例を示す図である。２０ａは第二の変圧器で、ａ−ｃとｃ−ｂの二つの一次巻線を持っており、これらは端子ｃで接続されている。２１ａと２１ｂはそれぞれ第二の変圧器２０ａの端子ａ，端子ｂとＸ線管１７のカソード間に接続されたスイッチである。このスイッチは端子ａからＸ線管１７のカソードへ及び端子ｂからＸ線管のカソードへ導通する機能を有するものである。さらに、２４ａと２４ｂはそれぞれ第二の変圧器の端子ａ，端子ｂからＸ線管１７のアノードに向かって接続されたダイオードである。第二の変圧器２０ａの二次巻線は整流器２２に接続され、整流器２２の出力はリアクトル２７とこれと並列に接続されたダイオード２８を介して第一のコンデンサ１２に接続されている。図５の第３の実施例では、スイッチ２１ａと２１ｂはＸ線管１７のアノード・カソード間に供給されている直流高電圧を交流に変換して第二の変圧器２０ａに供給するプッシュプル型のインバータを形成していることになる。
【００２４】
次に、こうして構成された第３の実施例についてその動作を説明する。図８は第３の実施例に対する半導体スイッチ２１ａ，２１ｂのオン，オフのタイミングとそのときの管電圧波形とを示している。スイッチ２１ａと２１ｂを交互にオンオフ動作することによって第二の変圧器２０ａの二つの一次巻線に高電圧を交互に印加し、これを例えば前記巻き数比に応じて１／１００倍に降圧して整流器２２に供給する。整流器２２は第二の変圧器２０ａの二次巻線（ｍ−ｎ）の電圧を整流して平滑容量１６に蓄積された電荷のエネルギーの大半を第一のインバータ１３の入力側の第一のコンデンサ１２に回生することができる。
その結果、図８に示すように波尾がスイッチ２１ａ，２１ｂのオン，オフ動作によって急激に降下し、波尾を大幅に低減できる。
【００２５】
この第３の実施例では、二つのスイッチ２１ａ，２１ｂと、第二の変圧器２０ａに直列に接続した２つの一次巻線ａ−ｃとｃ−ｂを設けている。これは、スイッチ２１ａと２１ｂを用いて一次巻線に交互に電圧を供給することによって変圧器２０ａの鉄心の偏磁を防止するためのものである。即ち、スイッチ２１ａがオンすることによって平滑容量１６の電荷を、Ｘ線管１７のアノードＡ→一次巻線の端子ｃ→端子ａ→スイッチ２１ａ→Ｘ線管１７のカソードＫの回路で放電するときには，変圧器２０ａの二次巻線の端子ｍに正の電圧が，端子ｎに負の電圧が発生するように鉄心に磁束が発生する。反対に、スイッチ２１ｂがオンすることによって平滑容量１６の電荷を、Ｘ線管１７のアノードＡ→一次巻線の端子ｃ→端子ｂ→スイッチ２１ｂ→Ｘ線管１７のカソードＫの回路で放電するときには、変圧器２０ａの二次巻線の端子ｍに負の電圧が、端子ｎに正の電圧が発生するように磁束が発生する。
【００２６】
このように二つのスイッチ２１ａと２１ｂの交互のオン，オフ動作で、変圧器２０ａの鉄心に交互に磁束が発生し、これが鉄心の偏磁を防ぐ働きをする。これは、スイッチ２１ａ，２１ｂのスイッチング周波数を高めることができれば、変圧器２０ａの鉄心を小型化できるということでもある。この第３の実施例において、整流器２２とコンデンサ１２の間に接続されたリアクトル２７は、平滑容量１６の放電電流のピーク値を制限してスイッチ２１ａ，２１ｂを保護するとともに、一度放電を始めたら、その放電電流を連続させて平滑容量１６の電荷がゼロになるまで放電させる働きをする。
【００２７】
また、前記リアクトル２７と並列に接続されたダイオード２８は、上記スイッチ２１ａ，２１ｂがオフ時に前記リアクトル２７に蓄えられた電磁エネルギを放流するためのものである。
【００２８】
平滑容量１６の電位をゼロまで降下させる必要がない場合や、配線等の寄生回路インピーダンスが同様のはたらきをする場合は必ずしも設けなくてよい。ダイオード２４ａと２４ｂは、スイッチ２１ａと２１ｂをターンオフするさいに、リアクトル２７や変圧器２０ａの一次巻線のインダクタンスに流れている電流が急激に変化することよって、スイッチ２１ａと２１ｂなどにサージ電圧が発生しないように、これらのインダクタンスの電流を連続させるために設けている。なお、上記第３の実施例では、例えば、スイッチ２１ａがオンしているときに、変圧器２０ａの一次巻線端子ｃ−ａ間にはほぼ管電圧と同等の電圧が供給されている。このとき、一次巻線同士の磁気的結合によって、端子ｂ−ｃ間にはこれとほぼ同じ電圧が発生し、結局スイッチ２１ｂはＸ線管１７のカソードからみて管電圧の２倍の電圧が供給される。従って、スイッチ２１ａ，２１ｂの耐電圧は少なくとも管電圧の２倍以上とするべきである。
【００２９】
図６は、本発明の第４の実施例を示す図である。第４の実施例では、２１ａ’〜２１ｄ’はスイッチ，ここでは半導体スイッチで、直流電圧を交流に変換するフルブリッジ構成のインバータ回路を構成している。２４ａ’〜２４ｄ’はスイッチ２１ａ’〜２１ｄ’に逆並列に接続されたダイオード、２０ａ’は上記フルブリッジ構成のインバータに接続され交流に変換された高電圧を低電圧に降圧する第二の変圧器である。これら以外は、図５の第３の実施例と同様の構成である。
【００３０】
次に、この第４の実施例の動作について簡単に説明する。図８を用いて説明した第３の実施例における動作では、スイッチ２１ａと２１ｂが交互にオン，オフ動作をして管電圧を高速に降下させたが、第４の実施例では、スイッチ２１ａと２１ｂの代わりに、それぞれスイッチ２１ａ’と２１ｄ’を同時に、スイッチ２１ｂ’と２１ｃ’を同時にオン，オフ動作させることによって、変圧器２０ａ’の一次巻線の端子ａとｂに交流電圧を供給する点が異なっている。それ以外は、第３の実施例と同様である。
【００３１】
この第４の実施例の特徴は、電力回生用の第二の変圧器２０ａ’の一次巻線を一つに簡略化できるとともに、スイッチ２４ａ’〜２４ｄ’に加わる電圧が第３の実施例に比べ約１／２、即ち管電圧程度でよいという点である。高耐圧のスイッチは高信頼化がむずかしく、またその構造が複雑になりやすいので、本実施例は第３の実施例よりもスイッチの設計が用意である。その反面スイッチの数としては４個必要となる。
【００３２】
図７は、本発明の第５の実施例を示している。２６ａと２６ｂは、平滑容量から供給される高電圧を分圧するためのコンデンサで直列に接続されている。２１ａ”と２１ｂ”は直列に接続されたスイッチでこの直列体は前記コンデンサ２６ａ，２６ｂと並列に接続されている。
【００３３】
２０ａ”は高電圧側の電力を低電圧側に回生するための第二の変圧器で、その一次巻線は前記スイッチ２１ａ”と２１ｂ”の接続点及びコンデンサ２６ａと２６ｂの接続点とにそれぞれ接続されている。２４ａ”と２４ｂ”はスイッチ２１ａ”と２１ｂ”と逆並列に接続されたダイオードで変圧器２０ａ”の一次巻線に流れている電流がイッチ２１ａ”と２１ｂ”のターンオフによって急激に停止しサージ電圧が発生することを防ぐものである。
【００３４】
次に、この第５の実施例の動作について簡単に説明する。図８を用いて説明した第３の実施例における動作では、スイッチ２１ａと２１ｂが交互にオン，オフ動作をして管電圧を高速に降下させたが，第５の実施例では、スイッチ２１ａと２１ｂの代わりに、それぞれスイッチ２１ａ”と２１ｂ”を交互にオンオフ動作させて、コンデンサ２６ａと２６ｂに供給されている直流電圧を、変圧器２０ａ”の一次巻線の端子ａとｂに交流電圧に変換して供給する。この場合、スイッチ２１ａ”がオンすることによってコンデンサ２６ａの電圧を変圧器２０ａ”の端子ａに正、端子ｂに負の電圧として供給する。同様に、２１ｂ”がオンすることによってコンデンサ２６ｂの電圧を変圧器２０ａ”の端子ｂに正、端子ａに負の電圧として供給する。
【００３５】
従って、これらのスイッチを交互にオン，オフすることによって、電力回生用の第二の変圧器２０ａ”に交流の高電圧が供給される。それ以外は、第３の実施例と同様である。
この第５の実施例の特徴は、電力回生用の変圧器２０ａ”の一次巻線が一つであって構造が簡単であるとともに、スイッチ２１ａ”と２１ｂ”の電圧は管電圧程度であって、第３の実施例の利点と第４の実施例の利点とを兼ね備えていることである。
【００３６】
これら第３，第４，第５の実施例は、本発明の主目的である管電圧の波尾を高速遮断による被曝低減と高電圧部での発熱防止を実現するとともに、いずれの実施例でも高電圧側の平滑容量１６に蓄えられているエネルギーを低電圧側に回生し、さらに、この回生用の変圧器の偏磁を防止し、この変圧器の鉄心を小型にすることができる。
【００３７】
平滑容量１６に蓄積された電荷のエネルギーを上記第１〜第５の実施例では、インバータ１３の前段のコンデンサに回生したが，必ずしもこれにこだわらず、他の直流電源やバッテリー，コンデンサなどであってもよく、その場合は回生されたエネルギーを直接的には管電圧発生とは別の用途に利用することができる。
【００３８】
さらに、これらの実施例で用いた電力回生用インバータ回路のスイッチは半導体スイッチを仮定して説明したが、これに限らず同様の働きが可能な、機械的接点によるスイッチ、あるいは、三極管，テトロードなどの真空管を用いることもできる。
また、上記実施例では、第二の変圧器として鉄心入りの変圧器を仮定して説明したが、これは必ずしも鉄心入りである必要はなく、空心トランスであってもよい。空心トランスは鉄心の飽和が起こらないという利点がある。
【００３９】
【発明の効果】
以上で説明したように、本発明装置では、高電圧側のコンデンサに蓄積された電荷のエネルギーを低電圧側に回生することによって、管電圧の波尾を速やかに降下させることが可能であり、かつ、そのエネルギーを次の管電圧パルスを発生させるために有効に利用することができる。従って、被験者にとって有害な低エネルギーＸ線による被曝を低減し，小型高効率のＸ線高電圧装置を提供することができる。
【図面の簡単な説明】
【図１】本発明の第１の実施例図である。
【図２】本発明の第２の実施例図である。
【図３】第１の実施例図における動作波形図である。
【図４】第２の実施例図における動作波形図である。
【図５】本発明の第３の実施例図である。
【図６】本発明の第４の実施例図である。
【図７】本発明の第５の実施例図である。
【図８】第３〜第５の実施例図における動作波形図である。
【図９】従来装置における管電圧波形図
【符号の説明】
１０  交流電源
１１  整流器
１２  第一のコンデンサ
１３  インバータ
１４  高電圧変圧器
１５  高電圧整流器
１６  第二のコンデンサ
１７  Ｘ線管
２０，２０ａ，２０ａ’，２０ａ”  第二の変圧器
２１，２１ａ，２１ｂ，２１ａ’〜２１ｂ’，２１ａ”〜２１ｂ”  半導体スイッチ
２２  整流器
２３，２７  リアクトル
２４，２４ａ，２４ｂ，２４ａ’〜２４ｂ’，２４ａ”〜２４ｂ”  高電圧ダイオード
２５，２６  回性用端子
【図１】
0004349642.tif 000004
【図２】
0004349642.tif 000005
【図３】
0004349642.tif 000006
【図４】
0004349642.tif 000007
【図５】
0004349642.tif 000008
【図６】
0004349642.tif 000009
【図７】
0004349642.tif 000010
【図８】
0004349642.tif 000011
【図９】
0004349642.tif 000012